(57)【特許請求の範囲】
【請求項１】
配線に沿う長手方向を有するベース部と、前記ベース部に嵌合されて配線を覆うカバー
部とからなる配線用モールにおいて、
ベース部は、配線を収納する配線収納部を形成するための第１ベース部と第２ベース部
との組み合わせからなり、
前記第１ベース部と第２ベース部とは、配線方向に垂直な横断面形状が略々同一であり
、
第２ベース部の配線方向の長さは、第１ベース部の配線方向の長さより短く、且つ、第
１ベース部と第２ベース部の両端面は、すべて配線方向に垂直であり、
一組の第１ベース部と第２ベース部とは、設置のときに用いられるカバー部と嵌合され
て連結され、
一方の配線用モール及び他方の配線用モールは、第１ベース部と第２ベース部を配線方
向に並べて一方の配線用モールのベース部の端面と他方の配線用モールのベース部の端面
を合わせて接続してカバー部に固定して設置するとき、一方の配線用モールの一組のベー
ス部を配線用モールの配線に沿う長手方向にずらして第１ベース部を他方の配線用モール
のカバー部に固定するとともに、他方の配線用モールの第２ベース部をカバー部から移動して一方の配線用モールのカバー部の空所に固定することにより、一方の配線用モールと他方の配線用モール同士を接続するように構成され、
一方の配線用モールのカバー部の端縁の端面と他方の配線用モールのカバー部の端縁の
端面とが隣接する及び／又は近接する接続部分と一方の配線用モールのベース部の端縁の
端面と他方の配線用モールのベース部の端縁の端面とが隣接する及び／又は近接する接続
部分とは、ずれて、連結されることを特徴とする、配線用モール。
【請求項２】
配線に沿う長手方向を有するベース部と、前記ベース部に嵌合されて配線を覆うカバー
部とからなる配線用モールにおいて、
ベース部は、配線を収納する配線収納部を形成するための第１ベース部と第２ベース部
との組み合わせから成り、
前記第１ベース部と第２ベース部とは、配線方向に垂直な横断面形状が略々同一であり
、第２ベース部の配線方向の長さは、第１ベース部の配線方向の長さより短く、且つ、第
１ベース部と第２ベース部の両端面は、すべて配線方向に垂直であり、
一組の第１ベース部と第２ベース部とは、設置のときに用いられるカバー部と嵌合され
て連結され、
一組の第１ベース部と第２ベース部とは、粘着テープで連結され、
一方の配線用モール及び他方の配線用モールは、第１ベース部と第２ベース部を配線方
向に並べて一方の配線用モールのベース部の端面と他方の配線用モールのベース部の端面
を合わせて接続してカバー部に固定して設置するとき、一方の配線用モールの一組の第１
ベース部と第２ベース部との境界の粘着テープを第１ベース部と第２ベース部との境界の
第１ベース部及び第２ベース部の端縁に沿って切り離されて、切り離された第２ベース部
が移動されて他方の配線用モールのカバー部に固定され、且つ他方の配線用モールの一組
のベース部を配線用モールの配線方向にずらして第１ベース部を一方の配線用モールのカ
バー部の空所に固定することにより、一方の配線用モールと他方の配線用モール同士を接
続するように構成され、
一方の配線用モールのカバー部の端縁の端面と他方の配線用モールのカバー部の端縁の
端面とが隣接する及び／又は近接する接続部分と一方の配線用モールのベース部の端縁の
端面と他方の配線用モールのベース部の端縁の端面とが隣接する及び／又は近接する接続
部分とは、ずれて、連結されることを特徴とする、配線用モール。
【請求項３】
配線に沿う長手方向を有するベース部と、前記ベース部に嵌合されて配線を覆うカバー
部からなり、カバー部をベース部に固定することにより内部に配線を収納する配線収納部
を形成する配線用モールの接続方法であって、
ベース部は、配線を収納する配線収納部を形成するための第１ベース部と第２ベース部
との組み合わせからなり、第１ベース部と第２ベース部とはカバー部に嵌合されて連結さ
れ、第１ベース部と第２ベース部とは、配線方向に垂直な横断面形状が略々同一であり、
第１ベース部と第２ベース部とを合わせた長さは、カバー部の長さと略同一であり、且つ、第１ベース部と第２ベース部の両端面は、すべて配線方向に垂直であり、
一方の配線用モールの少なくとも第１ベース部を配線用モールの配線に沿う長手方向にずらして、第１ベース部を他方の配線用モールのカバー部に固定するとともに、
前記他方の配線用モールの第２ベース部をカバー部から移動して一方の配線用モールのカバー部の空所に固定する工程を有し、
一方の配線用モールのカバー部の端縁の端面と他方の配線用モールのカバー部の端縁の
端面とが隣接する及び／又は近接する接続部分と一方の配線用モールの第１ベース部の端縁の端面と他方の配線用モールの第１ベース部の端縁の端面とが隣接する及び／又は近接する接続部分とをずらして連結し、
一方の配線用モールと他方の配線用モールの第１ベース部と第２ベース部を配線方向に並べて一方の配線用モールの少なくとも一つのベース部の端面と他方の配線用モールの少なくとも一つのベース部の端面を合わせて接続してカバー部に固定して設置することを特徴とする、配線用モールの接続方法。
【請求項４】
配線に沿う長手方向を有するベース部と、前記ベース部に嵌合されて配線を覆うカバー
部からなり、カバー部をベース部に固定することにより内部に配線を収納する配線収納部
を形成する配線用モールの接続方法であって、
ベース部は、配線を収納する配線収納部を形成するための第１ベース部と第２ベース部
との組み合わせからなり、第１ベース部と第２ベース部とはベース部の底面に貼着された
両面粘着テープにより連結され、
前記第１ベース部と第２ベース部とは、配線方向に垂直な横断面形状が略々同一であり
、
第１ベース部と第２ベース部とを合わせた長さは、カバー部の長さと略同一であり、且つ、第１ベース部と第２ベース部の両端面は、すべて配線方向に垂直であり、
（一）他方の配線用モールの第１ベース部と第２ベース部の境界において両面粘着テープを切断する工程と、
（二）一方の配線用モールの第１ベース部を配線用モールの配線に沿う長手方向
にずらして、第１ベース部を他方の配線用モールのカバー部に固定するとともに、
他方の配線用モールの一組のベース部のうち、前記切断する工程により切り離された第２ベース部をカバー部から移動して、一方の配線用モールのカバー部の空所に固定する工程とを有し、
一方の配線用モールのカバー部の端縁の端面と他方の配線用モールのカバー部の端縁の
端面とが隣接する及び／又は近接する接続部分と一方の配線用モールの第１ベース部の端縁の端面と他方の配線用モールの第１ベース部の端縁の端面とが隣接する及び／又は近接する接続部分とをずらして連結し、
一方の配線用モールと他方の配線用モールの第１ベース部と第２ベース部を配線方向に並べて一方の配線用モールの少なくとも一つのベース部の端面と他方の配線用モールの少なくとも一つのベース部の端面を合わせて接続してカバー部に固定して設置することを特徴とする、配線用モールの接続方法。
【発明の詳細な説明】
【技術分野】
【０００１】
本発明は、床面、壁面、天井等に配線する際に配線を案内保護するための持ち運びやすく接続可能な配線用モールに関する。
【背景技術】
【０００２】
従来の配線用モールには、合成樹脂製、金属製等のベースとカバーから成り、配線を内部に収納してベースにカバーを固定し、両面テープ、釘、ビス等で床面、壁面、天井等に固定するものがあった。
【０００３】
しかしながら、従来の配線用モールは、床面等に設置する際に必要な長さが、例えば１メートルまたは２メートル等で販売されている。
【０００４】
【先行技術文献】
【特許文献】
【０００５】
【特許文献１】実用新案登録第3122581号公報
【特許文献２】特開2000-341827号公報
【特許文献３】特開2005-65428号公報
【発明の概要】
【発明が解決しようとする課題】
【０００６】
従来の配線用モールは、配線用モール同士を接続した場合に配線方向と垂直な方向から力が加わると接続部分が外れたりずれたりする場合があり、前記方向の力に弱くなるという欠点があった。
【０００７】
さらに設置箇所にあわせて長さを調節するためには専用の工具で切断する必要があるため一般消費者には長さの調節が困難であった。
【０００８】
また、物流資材として通常使用されるコンテナに収納できないことが多く、輸送コストがかかるという問題があった。全体が長いものは、持ち運びにも不便であった。
【０００９】
本発明は、以上のような従来の問題点に鑑み、容易に長さ調節が可能で接続部分が外れにくく、移送しやすい長さの配線用モールを提供することを目的としている。
【課題を解決するための手段】
【００１０】
請求項１にかかる配線用モールは、配線に沿う長手方向を有するベース部と、前記ベース部に嵌合されて配線を覆うカバー部とからなる配線用モールにおいて、ベース部は、配線を収納する配線収納部を形成するための第１ベース部と第２ベース部との組み合わせからなり、前記第１ベース部と第２ベース部とは、配線方向に垂直な横断面形状が略々同一であり、第２ベース部の配線方向の長さは、第１ベース部の配線方向の長さより短く、且つ、第１ベース部と第２ベース部の両端面は、すべて配線方向に垂直であり、一組の第１ベース部と第２ベース部とは、設置のときに用いられるカバー部と嵌合されて連結され、一方の配線用モール及び他方の配線用モールは、第１ベース部と第２ベース部を配線方向に並べて一方の配線用モールのベース部の端面と他方の配線用モールのベース部の端面を合わせて接続してカバー部に固定して設置するとき、一方の配線用モールの一組のベース部を配線用モールの配線に沿う長手方向にずらして第１ベース部を他方の配線用モールのカバー部に固定するとともに、他方の配線用モールの第２ベース部をカバー部から移動して一方の配線用モールのカバー部の空所に固定することにより、一方の配線用モールと他方の配線用モール同士を接続するように構成され、一方の配線用モールのカバー部の端縁の端面と他方の配線用モールのカバー部の端縁の端面とが隣接する及び／又は近接する接続部分と一方の配線用モールのベース部の端縁の端面と他方の配線用モールのベース部の端縁の端面とが隣接する及び／又は近接する接続部分とは、ずれて、連結されることを特徴とする、配線用モールである。
請求項２にかかる配線用モールは、配線に沿う長手方向を有するベース部と、前記ベース部に嵌合されて配線を覆うカバー部とからなる配線用モールにおいて、ベース部は、配線を収納する配線収納部を形成するための第１ベース部と第２ベース部との組み合わせから成り、前記第１ベース部と第２ベース部とは、配線方向に垂直な横断面形状が略々同一であり、第２ベース部の配線方向の長さは、第１ベース部の配線方向の長さより短く、且つ、第１ベース部と第２ベース部の両端面は、すべて配線方向に垂直であり、一組の第１ベース部と第２ベース部とは、設置のときに用いられるカバー部と嵌合されて連結され、
一組の第１ベース部と第２ベース部とは、粘着テープで連結され、一方の配線用モール及び他方の配線用モールは、第１ベース部と第２ベース部を配線方向に並べて一方の配線用モールのベース部の端面と他方の配線用モールのベース部の端面を合わせて接続してカバー部に固定して設置するとき、一方の配線用モールの一組の第１ベース部と第２ベース部との境界の粘着テープを第１ベース部と第２ベース部との境界の第１ベース部及び第２ベース部の端縁に沿って切り離されて、切り離された第２ベース部が移動されて他方の配線用モールのカバー部に固定され、且つ他方の配線用モールの一組のベース部を配線用モールの配線方向にずらして第１ベース部を一方の配線用モールのカバー部の空所に固定することにより、一方の配線用モールと他方の配線用モール同士を接続するように構成され、一方の配線用モールのカバー部の端縁の端面と他方の配線用モールのカバー部の端縁の端面とが隣接する及び／又は近接する接続部分と一方の配線用モールのベース部の端縁の端面と他方の配線用モールのベース部の端縁の端面とが隣接する及び／又は近接する接続部分とは、ずれて、連結されることを特徴とする、配線用モールである。
請求項３にかかる配線用モールの接続方法は、配線に沿う長手方向を有するベース部と、前記ベース部に嵌合されて配線を覆うカバー部からなり、カバー部をベース部に固定することにより内部に配線を収納する配線収納部を形成する配線用モールの接続方法であって、ベース部は、配線を収納する配線収納部を形成するための第１ベース部と第２ベース部との組み合わせからなり、第１ベース部と第２ベース部とはカバー部に嵌合されて連結され、第１ベース部と第２ベース部とは、配線方向に垂直な横断面形状が略々同一であり、第１ベース部と第２ベース部とを合わせた長さは、カバー部の長さと略同一であり、且つ、第１ベース部と第２ベース部の両端面は、すべて配線方向に垂直であり、一方の配線用モールの少なくとも第１ベース部を配線用モールの配線に沿う長手方向にずらして、第１ベース部を他方の配線用モールのカバー部に固定するとともに、前記他方の配線用モールの第２ベース部をカバー部から移動して一方の配線用モールのカバー部の空所に固定する工程を有し、一方の配線用モールのカバー部の端縁の端面と他方の配線用モールのカバー部の端縁の端面とが隣接する及び／又は近接する接続部分と一方の配線用モールの第１ベース部の端縁の端面と他方の配線用モールの第１ベース部の端縁の端面とが隣接する及び／又は近接する接続部分とをずらして連結し、一方の配線用モールと他方の配線用モールの第１ベース部と第２ベース部を配線方向に並べて一方の配線用モールの少なくとも一つのベース部の端面と他方の配線用モールの少なくとも一つのベース部の端面を合わせて接続してカバー部に固定して設置することを特徴とする、配線用モールの接続方法である。
請求項４にかかる配線用モールの接続方法は、配線に沿う長手方向を有するベース部と、前記ベース部に嵌合されて配線を覆うカバー部からなり、カバー部をベース部に固定することにより内部に配線を収納する配線収納部を形成する配線用モールの接続方法であって、ベース部は、配線を収納する配線収納部を形成するための第１ベース部と第２ベース部との組み合わせからなり、第１ベース部と第２ベース部とはベース部の底面に貼着された両面粘着テープにより連結され、前記第１ベース部と第２ベース部とは、配線方向に垂直な横断面形状が略々同一であり、第１ベース部と第２ベース部とを合わせた長さは、カバー部の長さと略同一であり、且つ、第１ベース部と第２ベース部の両端面は、すべて配線方向に垂直であり、（一）他方の配線用モールの第１ベース部と第２ベース部の境界において両面粘着テープを切断する工程と、（二）一方の配線用モールの第１ベース部を配線用モールの配線に沿う長手方向にずらして、第１ベース部を他方の配線用モールのカバー部に固定するとともに、他方の配線用モールの一組のベース部のうち、前記切断する工程により切り離された第２ベース部をカバー部から移動して、一方の配線用モールのカバー部の空所に固定する工程とを有し、一方の配線用モールのカバー部の端縁の端面と他方の配線用モールのカバー部の端縁の端面とが隣接する及び／又は近接する接続部分と一方の配線用モールの第１ベース部の端縁の端面と他方の配線用モールの第１ベース部の端縁の端面とが隣接する及び／又は近接する接続部分とをずらして連結し、一方の配線用モールと他方の配線用モールの第１ベース部と第２ベース部を配線方向に並べて一方の配線用モールの少なくとも一つのベース部の端面と他方の配線用モールの少なくとも一つのベース部の端面を合わせて接続してカバー部に固定して設置することを特徴とする、配線用モールの接続方法である。
【発明の効果】
【００１１】
本発明によれば、配線用モールの長さを比較的短く、持ち運びや運搬等の移送しやすい長さとすることができる。例えば、配線用モールの長さを４５０ｍｍとした場合、多くの輸送用のコンテナに収納できる。
造建築の木材軸組工法の間柱の標準的な間隔である４５５ｍｍと同等の長さとなり、この間柱の間隔に合わせて延長できる。
そして、本発明によれば、配線用モールを互いに接続することで特殊な工具を用いて切断することなく必要な長さに調節することができる。また接続部分は配線方向から見て横向きに力が加わっても容易にずれたり外れたりすることがない。
【図面の簡単な説明】
【００１２】
【図１】本発明の一実施の形態に係る配線用モールの全体を示す斜視図解図である。
【図２】本発明の第１の実施の形態に係る配線用モールの正面図解図である。
【図３】本発明の第１の実施の形態に係る配線用モールの断面図解図である。
【図４】本発明の第１の実施の形態に係る配線用モールの分解した状態の斜視図解図である。
【図５Ａ】本発明の第１の実施の形態に係る配線用モールの使用方法を示す正面図解図である。
【図５Ｂ】本発明の第１の実施の形態に係る配線用モールの使用方法を示す正面図解図である。
【図６Ａ】本発明の第１の実施の形態に係る配線用モールに使用方法を示す正面図解図である。
【図６Ｂ】本発明の第１の実施の形態に係る配線用モールに使用方法を示す正面図解図である。
【図６Ｃ】本発明の第１の実施の形態に係る配線用モールに使用方法を示す正面図解図である。
【図７】本発明の第２の実施の形態に係る配線用モールの全体を示す斜視図解図である。
【図８】本発明の第２の実施の形態に係る配線用モールの正面図解図である。
【図９】本発明の第２の実施の形態に係る配線用モールを示す断面図解図である。
【図１０】本発明の第２の実施の形態に係る配線用モールの分解した状態の斜視図解図である。
【発明を実施するための形態】
【第１の実施の形態】
【００１３】
以下、図面に従って、本発明の一実施の形態に係る配線用モールについて説明する。
図１は、本発明の一実施の形態に係る配線用モール１０の全体を示す斜視図解図である。
図２は、本発明の第１の実施の形態に係る配線用モール１０の正面図解図である。
図３は、本発明の第１の実施の形態に係る配線用モール１０の断面図解図である。
図４は、本発明の第１の実施の形態に係る配線用モール１０の分解した状態の斜視図解図である。
【００１４】
本発明の配線用モール１０は、床面、壁面、天井等に配線する際に電線や通信線等の配線を案内保護するためのレール状体である。
配線用モール１０は、カバー部１２を、第１ベース部１４および第２ベース部１６からなるベース部１８に嵌合してケーブル等の線状体を内部に収納した状態で配線するための配線収納部２４を形成するように構成されている。
【００１５】
配線用モール１０は、配線に沿う長手方向を有するベース部１８と、前記ベース部１８に嵌合されて配線を覆うカバー部１２とからなる。
配線用モール１０は、設置のときに複数の配線用モール１０を連結することによって配線方向に沿って長尺状配線路（例えば、配線路に沿う長さが９００mm）を形成することができるように形成されている。
この実施の形態にかかる配線用モール１０は、１組のカバー部１２とベース部１８とが移送のときに適する長さで、短尺状レール体（例えば、カバー部１２の長さ及び第１ベース部１４と第２ベース部１６とを合わせた長さが４５０mm）に形成されている。
一の実施の形態においては、１組の配線用モール１０は、第１ベース部１４と第２ベース部１６とが別体となっているが、カバー部１２が嵌合されて、第１ベース部１４と第２ベース部１６とが連結されている。
【００１６】
１組の配線用モール１０は、カバー部１２とベース部１８と両面粘着テープ２０とが組み合わさっており、その一方の短手端縁の端面すなわち端面２８が配線方向に垂直になるように揃っているとともに、その他方の短手端縁の端面すなわち端面３０が配線方向に垂直になるように揃っている。
１組の配線用モール１０は、カバー部１２の一方の端縁６０と第１ベース部１４の一方の端縁８０とが配線方向に垂直になるように揃っている。
１組の配線用モール１０は、カバー部１２の他方の端縁６２と第２ベース部１６の一方の端縁８２とが配線方向に垂直になるように揃っている。
【００１７】
一組の配線用モール１０は、端面２８と端面３０との間の長さが、５００ｍｍ未満になるように形成されており、カバー部１２とベース部１８と両面粘着テープ２０とが組み合わさった状態で持ち運びや運搬等の移送に最適な形状である。
【００１８】
ベース部１８の底面２６には、両面粘着テープ２０が貼り付けられている。両面粘着テープ２０は、剥離紙４２の両面に粘着剤層が形成されており、剥離紙４２のシート状の基材４０により、第１ベース部１４と第２ベース部１６が連結されている。
両面粘着テープ２０は、粘着剤層から剥離紙４２を剥離して、床、壁等の設置面に押圧すれば、ベース部１８を設置面に接着固定できる。
【００１９】
ベース部１８は、配線を収納する配線収納部２４を形成するために第１ベース部１４と第２ベース部１６とからなる。
第１ベース部１４と第２ベース部１６とは、配線方向に垂直な横断面形状がいずれの部分についても略々同一である。
第１ベース部１４の第１短手端縁８０及び第１隣接端縁８４と第２ベース部１６の第２短手端縁８２及び第２隣接端縁８６は、すべて配線方向に垂直な面を形成されている。
また、第１ベース部１４は、第２ベース部１６より長く形成されている。
【００２０】
配線用モール１０の底面２６は、床面等に配線用モール１０を固定できるように、略平坦になっている。
この実施の形態においては、ベース部１８の底面７８は、床面等に固定できるように、略平坦になっており、両面粘着テープ２０も同様に床面等に固定できるように、略平坦になっている。
【００２１】
前記第１ベース部１４及び前記第２ベース部１６には、カバー部１２を固定するための略Ｓの字の右側突出部７２及び左側突出部７０が形成されている。
右側突出部７２は、ベース部１８の底面７８の右側長手端縁７６から内側に少し入ったところから上方に向け突出している。
左側突出部７０は、ベース部１８の底面７８の左側長手端縁７４から内側に少し入ったところから上方に向け突出している。
右側突出部７２と左側突出部７０とは、一定の間隔を置いて形成され、それらの間に配線収納部２４が形成されている。
右側及び左側は、図３において示すように、短手端線を見て左側及び右側という。
【００２２】
カバー部１２は、ベース部１８の上部に被せられて、配線収納部２４に収容された配線を覆うように形成されている。
【００２３】
カバー部１２は、ベース部１８の左側突出部７０及び右側突出部７２と嵌合するための左側側壁５０及び右側側壁５２が形成されている。
嵌合用の左側側壁５０と右側側壁５２とは、平坦状の天部５８から、ベース部１８の左側突出部７０と右側突出部７２との間隔に対応した間隔をおいて垂設されている。
左側側壁５０及び右側側壁５２の下端には、それぞれ、ベース部１８の左側突出部７０及び右側突出部７２の下端と係合するため嵌合用の係合部５４及び係合部５６が形成されている。
左側側壁５０と右側側壁５２とは、配線収納部２４を形成するために一定の間隔をおいて対向しており、且つ左側側壁５０の下端の係合部５４と右側側壁５２の下端の係合部５６とは、配線収納部２４を形成するために一定の間隔をおいて対向している。
右側及び左側は、図３において示すように、短手端線を見て左側及び右側という。
【００２４】
カバー部１２とベース部１８は、弾力性に富んだ合成樹脂で押し出し加工により一体成形されている。そのために、カバー部１２及びベース部１８は、配線方向に垂直な横断面形状が略々同一である。
【００２５】
（ベース部が両面粘着テープで連結された形態）
前記の実施の形態では構成要件として両面粘着テープ２０が含まれているが、両面粘着テープ２０はなくても同様の効果を奏する。
【００２６】
この実施の形態においては、１組の配線用モール１０は、第１ベース部１４と第２ベース部１６とが別体となっているが、両面粘着テープ２０によって第１ベース部１４と第２ベース部１６とが連結されている。
【００２７】
一組の第１ベース部と第２ベース部とは、両面粘着テープ２０で連結さており、
一方の第１の配線用モール１００及び他方の第２の配線用モール２００は、第１ベース部１４と第２ベース部１６を配線方向に並べて第１ベース部１４と第２ベース部１６の端面を合わせて接続してカバー部１２に固定して設置するとき、第１ベース部１４と第２ベース部１６との境界の両面粘着テープ２０を第１ベース部１４と第２ベース部１６との境界の第１ベース部１４及び第２ベース部１６の端縁に沿って切り離された一方の第１の配線用モール１００の一組のベース部１８のうちの一部すなわち第２ベース部１６を配線用モール１０の配線方向に移動して他方の第２の配線用モール２００のカバー部１２に固定することにより、一方の第１の配線用モール１００と他方の第２の配線用モール２００同士を、前記端縁の端面と直交する方向に連結して接続するように構成されている（図５Ａ参照）。
【００２８】
（ベース部がカバー部に嵌合されることにより連結された形態）
なお、両面粘着テープ２０がない場合、又は、両面粘着テープ２０によって第１ベース部１４と第２ベース部１６とが連結されていない場合、ベース部１８は、カバー部１２と嵌合されることによって、第１ベース部１４と第２ベース部１６が連結される。
両面粘着テープ２０によって第１ベース部１４と第２ベース部１６とが連結されている場合においても、ベース部１８は、カバー部１２と嵌合されることによって、第１ベース部１４と第２ベース部１６が連結されてもよい。
【００２９】
カバー部１２がベース部１８に嵌合されて第１ベース部１４と第２ベース部１６とが連結された配線用モール１０は、第１ベース部１４と第２ベース部１６を配線方向に並べて第１ベース部１４の端面と第２ベース部１６の端面を合わせて接続してカバー部１２に固定して設置するとき、一方の第１の配線用モール１００と他方の第２の配線用モール２００とは、一方の第２の配線用モール２００の一組のベース部１８のうちの一部すなわち第１ベース部１４を配線用モール１０の配線に沿う長手方向に摺動してずらして他方の第１の配線用モール１００のカバー部１２に固定することにより一方の配線用モール１０と他方の配線用モール１０同士を接続する。または、一方の第１の配線用モール１００と他方の第２の配線用モール２００とは、一方の第２の配線用モール２００の一組のベース部１８のうちの一部すなわち第２ベース部１６をカバー部１２から外して配線用モール１０の配線方向に移動して他方の第２の配線用モール２００のカバー部１２に固定するように構成されている。
【００３０】
一組の第１ベース部１４と第２ベース部１６とは、設置のときに用いられるカバー部１２と嵌合されて連結されており、持ち運びや運搬等の移送に適する１本のレール状体に組み合わされている。
第１ベース部１４と第２ベース部１６とを合わせた長さは、カバー部１２の長さと略同一であり、配線用モール１０の端面２８と端面３０とは、配線方向に垂直な面を形成されている。
【００３１】
ベース部１８は、配線を収納する配線収納部２４を形成するための第１ベース部１４と第２ベース部１６との組み合わせからなり、第１ベース部１４は比較的長く、第２ベース部１６は第１ベース部１４に比して短い長さに形成されている。
【００３２】
カバー部１２の長さは、例えば、４５０ｍｍであり、第１ベース部１４の長さは、４００ｍｍであり、第２ベース部１６の長さは、５０ｍｍである。
【００３３】
配線用モール１０の長さは、収納する電線の寸法、設置場所、輸送コストを考慮して定めることができるが、本発明に係る配線用モール１０は、１組の配線用モール１０を互いに接続して配線方向の長さを伸ばすことができる。従って、１組に配線用モール１０は、移送に適する長さとするために、１組のカバー部１２及び第１ベース部１４と第２ベース部１６とからなる配線用モール１０は、５００ｍｍ未満とするのが適しており、例えば、長手方向の長さを４５０mmとすると、木造建築の木造建築の木材軸組工法の間柱の間隔である４５５ｍｍと同等の長さとなり、この間柱の間隔に合わせて延長できる。なお、コンセントは、間柱、柱などの位置に合わせて設置されるのが一般的である。
なお、１組の配線用モール１０は、包装貨物―包装モジュール寸法の規格（ＪＩＳ  Ｚ０１０５、ＩＳＯ  ３３９４）例えば、普及率の高い５５０ｍｍ×３６６ｍｍを外寸とするコンテナの内寸に収まる大きさであって輸送コストが削減できる。
【００３４】
他の寸法については、例えば、壁への設置を考慮して配線用モールの設置面の配線方向に対して垂直な幅は１３ｍｍ、底面からの高さは７ｍｍとするのがよい。
また、床用の配線用モール１０は、カバー部１２の長さが、例えば４００ｍｍであり、第１ベース部１４の長さが、３５０ｍｍであり、第２ベース部１６の長さが、５０ｍｍに構成されている。
【００３５】
（配線モールの接続方法）
次に、設置面に配線用モール１０を用いて配線路を形成する方法について、２組の配線用モール１０を用いて説明する。
説明の便宜上、一方の一組の配線用モール１０を第１の配線用モール１００とし、別
の（他方の）一組の配線用モール１０を第２の配線用モール２００として、以下説明する。
【００３６】
（ベース部が両面粘着テープで連結された形態）
一の配線用モールの接続方法は、一方の第１の配線用モール１００と他方の第２の配線用モール２００とを長手方向に直列状に連結して、配線用モールを形成する方法であり、配線に沿う長手方向を有するベース部１８と、前記ベース部１８に嵌合されて配線を覆うカバー部１２からなり、カバー部１２をベース部１８に固定することにより内部に配線を収納する配線収納部を形成する配線用モールの接続方法である。
ベース部１８は、配線を収納する配線収納部を形成するための第１ベース部１４と第２ベース部１６との組み合わせからなり、別体である第１ベース部１４と第２ベース部１６とは、ベース部１８の底面に貼着された両面粘着テープ２０により連結されている。
（一）まず、第１ベース部１４と第２ベース部１６の境界において両面粘着テープ２０を切断する（両面粘着テープを切断する工程）。
（二）次に、前記一方の第２の配線用モール２００の一組のベース部１８のうち一部すなわち第１ベース部１６を配線用モールの配線に沿う長手方向に摺動（スライド）させてずらし、一方の第１の配線用モール１００のカバー部１２に嵌合固定する（第１ベース部をスライドさせる工程）。
（三）また、ベース部１８を構成する第１ベース部１４と第２ベース部１６とがカバー部１２に嵌合されて連結されている場合、前記一方の第１の配線用モール１００のうち第２ベース部をカバー部１２から外して、第１の配線用モール１００の配線方向に移動して他方の第２の配線用モール２００のカバー部１２に固定する（第２ベースを外す工程）。
【００３７】
すなわち、第１の配線用モール１００の第２ベース部１６を外し、第２の配線用モール２００のうち一部すなわち第１ベース部１４を、配線方向の第２ベース部１６の側から一方の第１の配線用モール１００の第１ベース部１４に向かう向きにずらして、第１の配線用モール１００の第１ベース１４側に第１の配線用モール１００の第２ベース部１６の長さの分だけ第１の配線用モール１００に沿って第１の配線用モール１００の第１ベース部１４側に移動させる。
第２の配線用モール２００の第１ベース部１４は、同じ方向に第２ベース部１６の長さの分だけ摺動してずらす。
【００３８】
次に、前記取り外した第１の配線用モール１００の第１ベース部１４を、第２の配線用モール２００のカバー部１２に嵌合されている第２ベース部１６の外側（右側）であってカバー部１２の第２ベース部１６が嵌合されていない空所に固定することで、第１の配線用モール１００と第２の配線用モール２００を接続する。
すなわち、第１の配線用モール１００から外した第２ベース部１６を、一方の第１の配線用モール１００と接続した他方の第２の配線用モール２００のカバー部に固定する。
【００３９】
このようにして、一方の第１の配線用モール１００のカバー部１２の第２短手端縁６２の端面と他方の第２の配線用モール２００のカバー部１２の第１短手端縁６０の端面とが隣接する及び／又は近接する接続部分の位置と一方の第１の配線用モール１００のベース部１８の第１短手端縁６０の端面と他方の第２の配線用モール２００のベース部１８の第１短手端縁８０の端面とが隣接する及び／又は近接する接続部分の位置とをずらして連結し、
第１ベース部１４と第２ベース部１６を配線方向に並べて第１ベース部１４の第１隣接端縁８４の端面と第２ベース部１６の第１短手端縁８０の端面を合わせて接続してカバー部１２に固定して、配線路に設置する。
【００４０】
（ベース部がカバー部に嵌合されることにより連結された形態）
別の配線用モールの接続方法は、一方の第１の配線用モール１００と他方の第２の配線用モール２００とを長手方向に直列状に連結して、配線用モールを形成する方法であり、配線に沿う長手方向を有するベース部と、前記ベース部に嵌合されて配線を覆うカバー部からなり、カバー部をベース部に固定することにより内部に配線を収納する配線収納部を形成する配線用モールの接続方法である。
ベース部は、配線を収納する配線収納部を形成するための第１ベース部と第２ベース部との組み合わせからなり、別体である第１ベース部と第２ベース部とはカバー部に嵌合されて連結されている。
（一）まず、第１の配線用モール１００は、第２ベース部１６をカバー部１２から取り外す（ベース体を外す工程）。
（二）次に、前記一方の配線用第２モール２００の一組のベース部１８のうち一部をすなわち第１ベース部１６を配線用モールの配線に沿う長手方向に摺動（スライド）させてずらし、他方の第１の配線用モール１００のカバー部１２に固定する（第２ベースをスライドさせる工程）。
（三）または、前記一方の第１の配線用モール１００のうち第２ベース部１６をカバー部１２から外して配線用モール１０の配線方向に移動して他方の第２の配線用モール２００のカバー部１２に嵌合固定する（第２ベースを外す工程）。
【００４１】
すなわち、第１の配線用モール１００の第２ベース部１６を外し、第２の配線用モール２００のうち一部すなわち第１ベース部１４を、配線方向の第２ベース部１６の側から一方の第１の配線用モール１００の第１ベース部１４に向かう向きにずらして、第１の配線用モール１００の第１ベース１４側に第１の配線用モール１００の第２ベース部１６の長さの分だけ第１の配線用モール１００に沿って第１の配線用モール１００の第１ベース部１４側に移動させる。
第２の配線用モール２００の第２ベース部１６を、同じ方向に第２ベース部１６の長さの分だけ摺動してずらす。
【００４２】
次に、前記取り外した第１の配線用モール１００の第１ベース部１４を、第２の配線用モール２００のカバー部１２に嵌合されている第２ベース部１６の外側（右側）であってカバー部１２の第２ベース部１６が嵌合されていない空所に固定することで、第１の配線用モール１００と第２の配線用モール２００を接続する。
【００４３】
すなわち、第１の配線用モール１００から外した第２ベース部１６を、一方の第１の配線用モール１００と接続した他方の第２の配線用モール２００のカバー部１２に固定する。
このようにして、一方の第１の配線用モール１００のカバー部１２の第２短手端縁６２の端面と他方の第２の配線用モール２００のカバー部１２の第１短手端縁６０の端面とが隣接する及び／又は近接する接続部分の位置と一方の第１の配線用モール１００のベース部１８の第１隣接端縁８４の端面と他方の第２の配線用モール２００のベース部１８の第１短手端縁８０の端面とが隣接する及び／又は近接する接続部分の位置とをずらして連結し、
第１ベース部１４と第２ベース部１６を配線方向に並べて第１ベース部１４の第１隣接端縁８４の端面と第２ベース部１６の第１短手端縁８０の端面を合わせて接続してカバー部に固定して設置する。
【００４４】
３つ以上ｎ個の配線用モールを接続する場合は、図６Ｃに示すように、第３から第ｎまでの配線用モールについても第２の第２の配線用モール２００と同様にして順に接続する。
【００４５】
前記、実施の形態においては、第１の配線用モール１００と第２の配線用モール２００をそれぞれの正面側面を並置して配線路に設置したが、図６Ａで示すように、第１の配線用モール１００の背面側と第２の配線用モール２００の背面側面とを並置して配線路に設置してもよい。
すなわち、一方の第１の配線用モール１００の第２ベース部１６がカバー部１２の第２短手端縁６２側に位置し、且つ、他方の第２の配線用モール２００の第２ベース部１６がカバー部１２の第１短手端縁６０側に位置していないが、図６Ａに示すように、一方の第１の配線用モール１００の第２ベース部１６がカバー部１２の第２短手端縁６２側に位置し、且つ、他方の第２の配線用モール２００の第２ベース部１６がカバー部１２の第２短手端縁６２側に位置し且つ第１の配線用モール１００の第１短手端縁８０側に近接してもよい。
そして、他方の第２の配線用モール２００の第２ベース部１６を移動させるときに、一方の第１の配線用モール１００の第２ベース部１６側の左側に移動させて、
一方の第１の配線用モール１００のカバー部１２の第１短手端縁６０の端面と他方の第２の配線用モール２００のカバー部１２の第２短手端縁６２の端面とが隣接する及び／又は近接する接続部分の位置と一方の第１の配線用モール１００のベース部１２の第１短手端縁８０の端面と他方の第２の配線用モール２００のベース部の第１隣接端縁８４の端面とが隣接する及び／又は近接する接続部分の位置とは、ずれて、連結されるとよい。
【００４６】
前記、実施の形態においては、第１の配線用モール１００と第２の配線用モール２００をそれぞれの正面側面を並置して配線路に設置したが、図６Ｂで示すように、第１の配線用モール１００の背面側面と第２の配線用モール２００の正面側面とを並置して配線路に設置してもよい。
すなわち、一方の第２の配線用モール２００の第２ベース部１６がカバー部１２の第２短手端縁６２側に位置し、且つ、他方の第１の配線用モール１００の第２ベース部１６がカバー部１２の第２短手端縁６２側に位置していないが、図６Ｂに示すように、一方の第１の配線用モール１００の第２ベース部１６がカバー部１２の第１短手端縁６０側に位置し、且つ、他方の第２の配線用モール２００の第２ベース部１６がカバー部１２の第２短手端縁６２側に位置してもよい。
そして、一方の第１の配線用モール１００の第２ベース部１６を移動させるときに、一方の第２の配線用モール２００の第２ベース部１６側の右側に移動させて、
一方の第１の配線用モール１００のカバー部１２の第１短手端縁６０の端面と他方の第２の配線用モール２００のカバー部１２の第１短手端縁６０の端面とが隣接する及び／又は近接する接続部分の位置と一方の第１の配線用モール１００のベース部１２の第２短手端縁８２の端面と他方の第２の配線用モール２００のベース部１２の第１短手端縁８０の端面とが隣接する及び／又は近接する接続部分の位置とは、ずれて、連結されるとよい。
【００４７】
この発明の実施の形態によれば、第１の配線用モール１００のカバー部１２と第２の配線用モール２００のカバー部１２とが１箇所で連結され、第１の配線用モール１００の第１ベース部１４と第１の配線用モール１００の第２ベース部１６とが接続箇所で連結されているが、カバー部１２によってベース部１８が殆んど覆われるために、外観上、第１の配線用モール１００と第２の配線用モール２００との接続箇所が１箇所しか見えない。
それゆえに、配線路を形成したときにも、配線路は、外観的にも優れている。
【００４８】
なお、２つの配線用モール１０を接続する場合で説明したが、３つ以上の配線用モール１０を接続してもよいし、配線用モール１０同士を接続せずに、１組の配線用モール１０を単体で使用してもよい。
【第２の実施の形態】
【００４９】
本発明の他の実施の形態について、主として、図７ないし１０に基づいて説明する。
以下、第1の実施の形態と異なる部分について説明する。その他は、第１の実施の形態と同様である。
【００５０】
本発明の配線用モール５１０は、床面、壁面、天井等に配線する際に電線や通信線等の配線を案内保護するためのレール状体である。
配線用モール５１０は、カバー部５１２を、第１ベース部５１４および第２ベース部５１６からなるベース部５１８に嵌合してケーブル等の線状体を内部に収納した状態で配線するための配線収納部５２４を形成するように構成されている。
【００５１】
配線用モール５１０は、配線に沿う長手方向を有するベース部５１８と、前記ベース部５１８に嵌合されて配線を覆うカバー部５１２とからなる。
配線用モール５１０は、設置のときに複数の配線用モール５１０を連結することによって配線方向に沿って長尺状配線路（例えば、配線路に沿う長さが９００mm）を形成することができるように形成されている。
この実施の形態にかかる配線用モール５１０は、１組のカバー部５１２とベース部５１８とが移送のときに適する長さで、短尺状レール体（例えば、カバー部５１２の長さ及び第１ベース部５１４と第２ベース部５１６とを合わせた長さが４５０mm）に形成されている。
一の実施の形態においては、１組の配線用モール５１０は、第１ベース部５１４と第２ベース部５１６とが別体となっているが、カバー部５１２が嵌合されて、第１ベース部５１４と第２ベース部５１６とが連結されている。
【００５２】
１組の配線用モール５１０は、カバー部５１２とベース部５１８と両面粘着テープ５２０とが組み合わさっており、その一方の短手端縁の端面すなわち端面５２８が配線方向に垂直になるように揃っているとともに、その他方の短手端縁の端面すなわち端面５３０が配線方向に垂直になるように揃っている。
１組の配線用モール５１０は、カバー部５１２の一方の第１短手端縁６０と第１ベース部５１４の一方の端縁８０とが配線方向に垂直になるように揃っている。
１組の配線用モール５１０は、カバー部５１２の他方の第２短手端縁６２と第２ベース部５１６の一方の第２短手端縁５８２とが配線方向に垂直になるように揃っている。
【００５３】
一組の配線用モール５１０は、端面５２８と端面５３０との間の長さが、５００ｍｍ未満になるように形勢されており、カバー部５１２とベース部５１８と両面粘着テープ５２０とが組み合わさった状態で持ち運びや運搬等の移送に最適な形状である。
【００５４】
ベース部５１８の配線用モールの底面５２６には、両面粘着テープ５２０が貼り付けられている。両面粘着テープ５２０は、剥離紙５４２の両面に粘着剤層が形成されており、剥離紙５４２のシート状の基材５４０により、第１ベース部５１４と第２ベース部５１６が連結されている。
両面粘着テープ５２０は、粘着剤層から剥離紙５４２を剥離して、床、壁等の設置面に押圧すれば、ベース部５１８を設置面に接着固定できる。
【００５５】
ベース部５１８は、配線を収納する配線収納部５２４を形成するために第１ベース部５１４と第２ベース部５１６とからなる。
第１ベース部５１４と第２ベース部５１６とは、配線方向に垂直な横断面形状がいずれの部分についても略々同一である。
第１ベース部５１４の第１短手端縁５８０及び第１隣接端縁５８４と第２ベース部５１６の第２短手端縁５８２及び第２隣接端縁５８６は、すべて配線方向に垂直な面を形成されている。
また、第１ベース部５１４は、第２ベース部５１６より長く形成されている。
【００５６】
配線用モール５１０の配線用モールの底面５２６は、床面等に配線用モール５１０を固定できるように、略平坦になっている。
この実施の形態においては、ベース部５１８のベース部の底面５７８は、床面等に固定できるように、略平坦になっており、両面粘着テープ５２０も同様に床面等に固定できるように、略平坦になっている。
【００５７】
カバー部５１２は、十分な強度を有しワゴン等が上を通ることができるようにするようにアーチ状に形成されている。カバー部５１２は、配線方向と同じ向きに、配線用モール５１０の両端に沿って左側側壁５５０及び右側側壁５５２が形成されている。
左側側壁５５０及び右側側壁５５２は、それぞれ係合部５５４及び係合部５５６が設けられている。
【００５８】
ベース部５１８は、カバー部５１２と連続するアーチ状の表面を形成する。
ベース部５１８には、カバー部５１２の係合部５５４及び係合部５５６と夫々対応する左側突出部５７０及び右側突出部５７２が設けられている。
ベース部５１８は、底面に、両面粘着テープ５２０の位置決めに使用され、材料の使用量を減らすために両側に沿って溝５９０及び溝５９２が形成されている。ベース部５１８は、カバー部５１２を支持するための左側内側突出部５９４及び右側内側突出部５９６が形成されている。
左側突出部５７０と左側内側突出部５９４との間には、カバー部５１２の係合部５５４を嵌合するための嵌合面が形成され、右側突出部５７２と右側内側突出部５９６との間には、カバー部５１２の係合部５５６を嵌合するための嵌合面が形成されている。
【００５９】
配線収納部５２６に電線を収納した後、カバー部５１２をベース部５１８に互いの断面端縁から配線方向に挿入すると、カバー部の係合部５５４及び係合部５５６とベース部５１８の左側突出部５７０及び右側突出部５７２がそれぞれ係合し、カバー部５１２とベース部５１８が一体化する。
【００６０】
他の寸法については、例えば、床への設置を考慮して配線用モールの設置面の配線方向に対して垂直な幅は３０ｍｍ、底面からの高さは８ｍｍとするのがよい。
【００６１】
以上のように、本発明の実施の形態は、前記記載で開示されているが、本発明は、これに限定されるものではない。
すなわち、本発明の技術的思想及び目的の範囲から逸脱することなく、以上説明した実施の形態に対し、機序、形状、材質、数量、位置又は配置等に関して、様々の変更を加えることができるものであり、それらは、本発明に含まれるものである。
【産業上の利用可能性】
【００６２】
本発明は床、天井、又は壁の側面若しくは内部等に敷設される電線、通信線ケーブル等を保護するための配線保護に利用される。
【符号の説明】
【００６３】
１０  配線用モール
１２  カバー部
１４  第１ベース部
１６  第２ベース部
１８  ベース部
２０  両面粘着テープ
２４  配線収納部
２６  配線用モールの底面
２８、３０  端面
４０  シート状の基材
４２  剥離紙
５０  左側側壁
５２  右側側壁
５４，５６  係合部
５８  天部
６０  第１短手端縁
６２  第２短手端縁
７０  左側突出部
７２  右側突出部
７４  左側長手端縁
７６  右側長手端縁
７８  ベース部の底面
８０  第１短手端縁
８２  第２短手端縁
８４  第１隣接端縁
８６  第２隣接端縁
１００  第１の配線用モール
１９０、１９２  接合部分
２００  第２の配線用モール
５１０  配線用モール
５１２  カバー部
５１４  第１ベース部
５１６  第２ベース部
５１８  ベース部
５２０  両面粘着テープ
５２４  配線収納部
５２６  配線用モールの底面
５２８，５３０  端面
５４０  シート状の基材
５４２  剥離紙
５５０  左側側壁
５５２  右側側壁
５５４，５５６  係合部
５６０  第１短手端縁
５６２  第２短手端縁
５７０  左側突出部
５７２  右側突出部
５７８  ベース部の底面
５８０、５８２  端縁
５９０，５９２  溝
５９４  左側内側突出部
５９６  右側内側突出部
【図１】
0006474742.tif 000002
【図２】
0006474742.tif 000003
【図３】
0006474742.tif 000004
【図４】
0006474742.tif 000005
【図５Ａ】
0006474742.tif 000006
【図５Ｂ】
0006474742.tif 000007
【図６Ａ】
0006474742.tif 000008
【図６Ｂ】
0006474742.tif 000009
【図６Ｃ】
0006474742.tif 000010
【図７】
0006474742.tif 000011
【図８】
0006474742.tif 000012
【図９】
0006474742.tif 000013
【図１０】
0006474742.tif 000014